(57)【特許請求の範囲】
【請求項１】
信号線を介して複数の火災感知器が接続され、火災発生時に、順位、アドレスおよび状態を含む火災情報を発報した順番に表示部に文字表示する火災受信機において、
前記火災受信機は、前記信号線を介して各火災感知器から検出した物理量に関するアナログ値を収集して該アナログ値から火災を判別して発報する火災感知器を特定する火災判別部を備えているとともに、
前記表示部は、火災の発生によって発報する火災感知器を示す前記火災情報とともに、該火災感知器が検出する物理量を示す数値を更新しながら並べて表示するものであって、前記物理量を示す数値は、収集したアナログ値に基づき、この収集動作は常時行われることを特徴とする火災受信機。
【請求項２】
火災判別部は、信号線を介して各火災感知器の状態情報を収集し、発報する火災感知器を特定するときに、物理量を示す数値として前記火災感知器からアナログ情報を要求し、
また、状態情報の収集を行っている場合の火災感知器は、状態情報とは別に個別にアナログ情報の要求に対してアナログ値を出力する機能が付与されている請求項１の火災受信機。
【発明の詳細な説明】
【０００１】
【産業上の利用分野】
本発明は、火災受信機に関する。
【０００２】
【従来の技術】
従来、火災受信機の機能として、発報した火災感知器の情報を発報順に表示することが行われている。通常の火災受信機盤面での表示では、領域が特定されているので、発報した火災感知器のアドレスおよび種別のような表示を行うことがほとんどである。なお、アドレスに対比して設置場所を示す文字データを設定しておくことで、火災発生場所を示す場合もある。
【０００３】
また、火災受信機には、端末機器として煙感知器や熱感知器等の検出機器と、地区音響装置や防排煙機器等の被制御機器と、それぞれ個別のアドレスが付与されて、検出機器に対して連動制御される被制御機器が対照されて、いわゆる連動テーブルとして設定されている。このような場合に、連動に関する設定状況については、個々のアドレスごとに連動に関係する設定を確認することとなる。
【０００４】
【発明が解決しようとする課題】
通常の火災受信機における発報情報の表示は、端末機器や設置場所を特定することに関する情報がほとんどであり、火災を検出した煙感知器がどの程度の煙を検出しているかは不明であった。
【０００５】
また、連動設定に関して個々のアドレスによって設定すると、同じように防排煙機器を連動させる場合に、関係する火災感知器のすべてのアドレスに対して同じ連動先のアドレスを個別に設定する必要がある。
【０００６】
したがって、この発明は、発報情報を表示する際に、火災感知器が検出している規模についての情報を示すことを目的とする。
【０００７】
【課題を解決するための手段】
この発明は、信号線を介して複数の火災感知器が接続され、火災発生時に、順位、アドレスおよび状態を含む火災情報を発報した順番に表示部に文字表示する火災受信機において、前記火災受信機は、前記信号線を介して各火災感知器から検出した物理量に関するアナログ値を収集して該アナログ値から火災を判別して発報する火災感知器を特定する火災判別部を備えているとともに、前記表示部は、火災の発生によって発報する火災感知器を示す前記火災情報とともに、該火災感知器が検出する物理量を示す数値を更新しながら並べて表示するものであって、前記物理量を示す数値は、収集したアナログ値に基づき、この収集動作は常時行われることを特徴とするものである。
【０００９】
【発明の実施の形態】
以下、この本発明の一実施の形態について説明する。
【００１０】
図１は、本発明の一実施の形態に係わる火災受信機の構成を示すブロック図である。図において、１は火災受信機本体、１０は電源を兼用する信号線Ｌを介して火災感知器や被制御機器等の端末機器が複数接続される端末インターフェース、１１は他の火災受信機と接続するためのＬＡＮインターフェース、１２はＬＣＤや表示灯等による表示部、１３はテンキーや各種スイッチによる入力が可能な操作部、１４は各種設定情報などを記憶する記憶部、１５は火災受信機全体を制御する制御部である。ここで、記憶部１４は区画設定手段の一例であり、表示部１２および制御部１５は一覧表示手段の一例である。
【００１１】
また、ＡＤは各端末機器に個別に設定されたアドレスを示しており、図１では、ＡＤ１、ＡＤ２、ＡＤ１５、ＡＤ１６は火災感知器として連動元となる端末機器（すなわち検出機器）を、ＡＤ３、ＡＤ１７は地区音響装置、ＡＤ４５は防排煙機器であり、連動先となる端末機器（すなわち被制御機器）を、それぞれ表わしている。このように、火災受信機１に接続される端末機器は、図１では７個図示しているが、例えば最大５１０個が接続可能とされている。
【００１２】
さらに、これらの端末機器は、ゾーンを設定することによって区画情報が付与されており、図１では、Ｚ１（ゾーン１）として、ＡＤ１、ＡＤ２、ＡＤ３の端末機器に、Ｚ７として、ＡＤ１５、ＡＤ１６、ＡＤ１７の端末機器に、Ｚ１２として、ＡＤ１、ＡＤ４５の端末機器に設定されている。そして、各ゾーン内で連動制御されることとなり、Ｚ１内の端末機器が発報した場合に、Ｚ１内の被制御機器が起動制御されることになる。これらのゾーンの設定は、例えば図２に示すような連動テーブルのデータとして、記憶部１４に格納され、この連動テーブルは、操作部１３からの入力や図示しないデータ設定器を用いて外部から転送されるようになっている。なお、一つの端末機器に対して重複してゾーン設定が可能であり、ここでは７個までのゾーンの設定が可能とされている。また、ＬＡＮにより接続された各火災受信機間で連動を可能とするゾーン設定（ＩＰゾーン）を可能とされ、ＩＰ１（ＩＰゾーン１）として、ＡＤ１、ＡＤ４５に、ＩＰ２として、ＡＤ１５、ＡＤ１６、ＡＤ１７に設定されている。
【００１３】
このような火災受信機１において、火災時の動作について簡単に説明すると、端末インターフェース１０は、信号線Ｌを介して各端末機器と信号伝送を行っており、いわゆるアナログアドレッサブルでの伝送を行っている。すなわち、端末インターフェース１０から各端末機器に個別に付与されたアドレスに基づいて所定の個数ごとにグループ化された端末機器のグループに対して呼出信号を出力して、該当するグループの端末機器は、そのグループ内でタイミングを計って応答することで個別のタイミングで応答し、端末インターフェース１０はすべてのグループに対して呼出信号を送出した段階で、すべての端末機器から、感知器であればアナログ情報、その他の機器であれば状態情報を収集することができる。また、端末インターフェース１０は、必要な場合にアドレスを指定して起動信号を出力することができ、被制御機器に対して、個別に起動信号を出力することができる。
【００１４】
このように、端末インターフェース１０が収集した各端末機器の情報から、制御部１５は、火災の有無等を判別する。すなわち、各火災感知器のアナログ情報は、火災に基づく物理量であり、熱や煙のレベルであり、そのアナログ値を火災判別基準値と対比するなどの火災条件に合致するときに火災と判別する。また、図示しない手動の発信機からの発報情報やオンオフ式の火災感知器からの火災状態情報を受信するときにも火災と判別することができる。
【００１５】
そして、例えばＡＤ１の火災感知器が発報のときに、制御部１５は、表示部１２に火災表示を行わせるとともに、記憶部１４内の連動テーブルからゾーンを読み出し、Ｚ１、Ｚ１２が設定されているので、端末インターフェース１０を介してＡＤ３およびＡＤ４５に対してアドレスを指定して起動信号を出力する。また、ＩＰ１が設定されているので、ＬＡＮインターフェース１１を介してＬＡＮ上にＩＰ１を起動する情報を出力する。そして、他の火災受信機に接続されている端末機器のうちのＩＰ１が設定されている端末機器が起動制御される。
【００１６】
このときに、表示部１２は、図示しないＬＣＤに発報した順番に火災情報を表示していく。このときの項目として、例えば、順位、アドレス、状態、種別アナログ値が用いられ、具体的には、ＡＤ２が２報目で火災とされたときに、
１  ＡＤ００１  ＦＩＲＥ  ＳＤ２  １３．８％
２  ＡＤ００２  ＦＩＲＥ  ＳＤ２  １１．３％
のように表示される。ここで、「ＦＩＲＥ」は発報を表わし、その他予備警報を用いるときに「ＰＲＥ」等を使用することができる。また、「ＳＤ２」は種別として煙感知器２種を示しており、熱感知器１種では「ＨＤ１」、発信機では「ＣＰ」など、予め各種端末機器の略称として決定しておくことで簡便に表示することができる。「１３．８％」は、火災感知器が検出する物理量を示す数値、ここでは煙濃度を表わす数値であって、端末インターフェース１０が信号伝送により収集したアナログ値であり、この収集動作は常時行われていて、それに基づいて、制御部１５は端末インターフェース１０からアナログ値を取り込むとともに、表示部１２の随時数値を更新し、現在に近い値とする。ここで熱感知器の場合には当然温度表示がなされ「６５Ｃ」のように表示することができる。なお、物理量を示す数値の表示は、伝送信号としてアナログ値を返送する端末機器のみであって、発信機やオンオフ型の情報のみを返送する火災感知器などの端末機器は物理量を示す数値の表示は省かれる。
【００１７】
このように、発報した火災感知器のアナログ値をその他の火災情報とともに表示することによって、火災の規模を想定することができ、すなわち、ぎりぎりのレベルで火災発報となったのか、かなり高いレベルで火災発報になったのか、管理人に認識させることができる。さらに、このアナログ値を更新表示して、なるべく現在のレベルを表示させることにより、例えば上記表示内容では、１報目より２報目のレベルが低く、普通に火災が拡大していることが予測できるが、１報目のレベルが下がる場合もある。これはスプリンクラ設備のような消火活動が開始されて鎮火方向に向かっていることなどが予測できる。とくに最新情報に更新していくことにより、経時的な要素をふまえて現場の状況を想定することができる。
【００１８】
ここで、この実施の形態では、火災情報表示の際に併記する火災感知器が検出する物理量を示す数値として、常時、端末インターフェース１０が各火災感知器から収集するアナログ値を用いているが、このようなアナログアドレッサブルの情報収集を行っていない場合として、各火災感知器から状態情報の収集のみを行っている場合がある。そのときには、異なる実施の形態として、火災受信機が発報と認識した火災感知器に対して、状態情報とは別に個別にアナログ情報を要求する信号を用意し、また、火災感知器にアナログ情報の要求に対してアナログ値を出力する機能を付与しておくことによりアナログ値を用いることができ、状態情報収集にアナログ情報収集機能を付加することで火災情報表示にアナログ値を併記することができる。
【００１９】
また、この火災受信機１の表示部１２には、連動設定の状態を表示させて確認することができる。すなわち、操作部１３を利用してゾーンを指定する入力を行うと、制御部１５は、指定されたゾーンについて記憶部１４内の連動テーブルを検索してそのゾーンが設定されている端末機器を抽出して、その結果を表示部１２に表示させる。具体的には、ゾーンとして例えばＺ７が指定されるときに、
0003974321.tif 000002
のように表示される。なお、「ＳＤ２」は上記火災情報表示と同じく端末機器の種別について煙感知器２種を表わし、また、「ＢＬ」は地区音響装置を表わしている。したがってこの内容から、Ｚ７についてはＡＤ１５、ＡＤ１６の火災感知器の発報時にＡＤ１７の地区音響装置が鳴動されるように連動が設定されていることが理解できる。
【００２０】
また、同様に別のゾーンについて、例えばＺ１２を指定すると、
Ｚ０１２  ＡＤ００１  ＳＤ２    ＡＤ０４５  ＤＲ
のように表示され、「ＤＲ」は防火戸であって、Ｚ１２についてはＡＤ１の火災感知器の発報時にＡＤ４５の防火戸が連動されるように設定されていることが理解できる。これらのＺ７、Ｚ１２は簡略的に示しているが、実際の連動設定では、多数の端末機器が１つの連動に係わることも多く、その確認を個々にアドレスに基づいて端末機器ごとに連動情報を確認する必要がなく、作動確認作業などで一括で連動元および連動先の端末機器が確認できる。
【００２１】
なお、連動設定が記憶部１４内に格納されずに、例えば、各端末機器内に個別に格納されている場合には、端末インターフェース１０を介して、情報収集することで、同様に一覧表示が可能となる。
【００２２】
上記実施の形態では、火災情報表示に、各端末機器のアドレス、種別等を表示したが、一例であって、その項目は適宜選択すればよい。また、ゾーン指定で表示される端末機器の情報についても同様である。
【００２３】
以上のような、各実施形態に基づいて、この発明は、信号線を介して複数の火災感知器が接続され、火災発生時に、順位、アドレスおよび状態を含む火災情報を発報した順番に表示部に文字表示する火災受信機において、前記火災受信機は、前記信号線を介して各火災感知器から検出した物理量に関するアナログ値を収集して該アナログ値から火災を判別して発報する火災感知器を特定する火災判別部を備えているとともに、前記表示部は、火災の発生によって発報する火災感知器を示す前記火災情報とともに、該火災感知器が検出する物理量を示す数値を更新しながら並べて表示するものであって、前記物理量を示す数値は、収集したアナログ値に基づき、この収集動作は常時行われるので、管理人に火災の規模を想定や現場の状況を予測することができる。
【図面の簡単な説明】
【図１】本発明の一実施の形態に係る火災受信機の構成を示すブロック図。
【図２】図1の記憶部内に設定される連動テーブルを説明するための説明図。
【符号の説明】
１    火災受信機
１０    端末インターフェース
１２    表示部
１４    記憶部
１５    制御部
【図１】
0003974321.tif 000003
【図２】
0003974321.tif 000004